(57)【要約】【課題】  従来の半導体集積回路装置では半導体集積回路装置の特性ばらつきを半導体集積回路装置の製造者ではない電子機器の製造者が行わなければならず、電子機器の製造者に負担がかかる、という問題があった。【解決手段】  マイクロコンピュータ２３と、入力信号を前記マイクロコンピュータからの制御信号に応じて調整し出力する信号処理回路部７と、信号処理回路部７を構成する素子の製造時の変動に起因する信号特性の変動を補正する補正値を記憶するメモリ２４とを備え、マイクロコンピュータ２３はメモリ２４からの信号に応じて信号処理回路部７の信号特性の変動を補正する。【選択図】      図１
2008187726.tif 000002
【特許請求の範囲】
【請求項１】
アナログの入力信号を信号処理してアナログの出力信号を出力する信号処理回路部と、
前記信号処理回路部を構成する素子の製造時の変動に起因する信号特性の変動を補正する補正値を記憶するメモリと、
前記補正値に応じたデジタル信号を出力するマイクロコンピュータと、を一体化して備え、
前記信号処理回路部は、前記デジタル信号をアナログ信号に変換するＤ／Ａ変換器と、前記補正値に応じて前記信号特性の変動を補正する補正回路と、を含んで構成され、
前記マイクロコンピュータ、前記信号処理回路部、及び前記メモリはそれぞれ別々の半導体集積回路チップで構成され、それらの半導体集積回路チップが単一のパッケージに格納されることを特徴とする半導体集積回路装置。
【請求項２】
アナログの入力信号を信号処理してアナログの出力信号を出力する信号処理回路部と、
前記信号処理回路部を構成する素子の製造時の変動に起因する信号特性の変動を補正する補正値を記憶するメモリと、
前記補正値に応じたデジタル信号を出力するマイクロコンピュータと、を一体化して備え、
前記信号処理回路部は、前記デジタル信号をアナログ信号に変換するＤ／Ａ変換器と、前記補正値に応じて前記信号特性の変動を補正する補正回路と、を含んで構成され、
前記マイクロコンピュータ、前記信号処理回路部、及び前記メモリは単一の半導体集積回路チップに集積化され、かつ単一のパッケージに格納されることを特徴とする半導体集積回路装置。
【請求項３】
請求項１〜２のいずれかに記載の半導体集積回路装置であって、
前記補正回路は、増幅器を含んで構成され、
前記入力信号は、前記利得に応じて前記信号特性の変動が補正されることを特徴とする半導体集積回路装置。
【請求項４】
請求項３に記載の半導体集積回路装置であって、
前記入力信号は、輝度信号及びクロマ信号であって、
前記信号処理回路部は、前記クロマ信号を復調して色差信号を出力する復調回路を含んで構成され、
前記増幅器は、前記色差信号を増幅することを特徴とする半導体集積回路装置。
【請求項５】
請求項１〜４のいずれかに記載の半導体集積回路装置であって、
前記メモリはＥＥＰＲＯＭで構成されることを特徴とする半導体集積回路装置。
【請求項６】
請求項１に記載の半導体装置を製造する方法であって、
前記マイクロコンピュータ、前記信号処理回路部、及び前記メモリを前記単一のパッケージに格納する第１工程と、
前記第１工程の後、ＩＣテスターにより前記補正値を求めるとともに前記補正値を前記メモリに記憶させる第２工程と、を含むことを特徴とする半導体集積回路装置の製造方法。
【請求項７】
請求項２に記載の半導体集積回路装置を製造する方法であって、
前記マイクロコンピュータ、前記信号処理回路部、及び前記メモリを前記単一の半導体集積回路チップに集積化して形成する第１工程と、
前記第１工程の後、ＩＣテスターにより前記補正値を求めるとともに前記補正値を前記メモリに記憶させる第２工程と、を含むことを特徴とする半導体装置の製造方法。
【発明の詳細な説明】
【技術分野】
【０００１】
本発明は、半導体集積回路装置を製造する際に製造ばらつきにより半導体集積回路装置の信号特性が変動してしまってもその補正を自らが行うことのできる半導体集積回路装置及びその製造方法に関する。
【背景技術】
【０００２】
一般に、半導体集積回路装置を半導体プロセスにより製造する際に、マスクずれ、エッチングの線幅ばらつきなどの製造ばらつきが発生する。そのような製造ばらつきが発生すると、同一ロットや同一のウエハから作られた半導体集積回路装置であっても、半導体集積回路装置の特性が変動してしまう。
【０００３】
例えば、半導体集積回路装置が増幅器を有していたとすると、増幅率が半導体集積回路装置ごとに変動してしまう。すると、そのような半導体集積回路が半導体製造者側から電子機器の製造者側へ出荷され、電子機器に組み込まれると、その電子機器毎に特性が変動してしまう。そこで、電子機器の製造者は、半導体集積回路装置の特性ばらつきを自らが補正してから使用していた。
【０００４】
例えば、ＴＶ受像機の製造者は、映像信号を受信し復調する映像信号用の信号処理ＩＣを使用する。映像信号用の信号処理ＩＣは、例えば色の濃さ、色あい、明るさなどの様々な特性を持つ。この特性は、ＴＶ受像機の製造者や視聴者の好みによっても調整されるが、そのベースになる調整の基本的な範囲は半導体集積回路装置の製造者により定められる。この基本的な範囲は、本来はどの半導体集積回路装置も同じ値を持つ必要がある。そうでないと、電子機器の調整を行う基準が変化してしまう。
【０００５】
しかしながら、実際には前述の半導体集積回路装置の製造ばらつきに起因して、半導体集積回路装置毎にその特性が違う。そこで、例えばＴＶ受像機の製造者は、半導体集積回路装置の特性ばらつきを測り、それを補正していた。
【０００６】
さらに具体的に説明すれば、ＴＶ受像機は、例えばマイクロコンピュータとメモリを有する。そこで、ＴＶ受像機の製造ラインにおいて、例えば色の濃さを画像読み取り装置や目視により計り、色の濃さのセンター値の時に常に同じ色の濃さになるような補正信号を作る。
【０００７】
この補正信号の値は、前記マイクロコンピュータにより求められ、メモリに記憶させられる。一旦、メモリに記憶させられれば、その後はＴＶ受像機に電源を投入する毎にマイクロコンピュータによりメモリから補正信号が読み出され映像信号用の信号処理ＩＣに印加される。このようにすれば、映像信号用の信号処理ＩＣとしてどの半導体集積回路装置を使用しても常に同じ量だけの制御をＴＶ受像機として実施できる。
【発明の開示】
【発明が解決しようとする課題】
【０００８】
しかしながら、従来の半導体集積回路装置では、半導体集積回路装置の特性ばらつきの補正を半導体集積回路装置の製造者ではない電子機器の製造者が行わなければならず、製造ラインの煩雑な調整工程が増えてしまうという問題があった。
【課題を解決するための手段】
【０００９】
そこで、本発明はマイクロコンピュータと、入力信号を前記マイクロコンピュータからの制御信号に応じて調整し出力する信号処理回路部と、該信号処理回路部を構成する素子の製造時の変動に起因する信号特性の変動を補正する補正値を記憶するメモリとを備え、前記マイクロコンピュータは前記メモリからの補正値に応じて前記信号処理回路部の信号特性の変動を補正することを特徴とするものである。
【００１０】
本発明によれば、補正値を記憶したメモリと信号処理回路部が一体化されるので、１つ１つの信号処理回路部が結果的に製造時のばらつきをもつことがない。また、信号処理回路部が特性のばらつきを持たないので電子機器の製造者に負担がかからず、製造ラインの調整工程が削減できる。
【発明の効果】
【００１１】
本発明によれば、補正値を記憶したメモリと信号処理回路部が一体化されるので、１つ１つの信号処理回路部が結果的に製造時のばらつきをもつことがない。
【００１２】
また、本発明によれば、信号処理回路部が特性のばらつきを持たないので電子機器の製造者に負担がかからず、製造ラインの調整工程が削減できるという効果がある。 
【００１３】
また、本発明によれば、信号処理回路部を補正するのに既存の機能（メモリ、マイクロコンピュータ）を使っているので素子数が増えない。 
【００１４】
また、本発明によれば、色の濃さ、検波出力信号の大きさ、色合い（ＴＩＮＴ）など様々なものを対象に補正を同時にかけることが可能である。
【発明を実施するための最良の形態】
【００１５】
次に、本発明の実施の形態に係る半導体集積回路装置について図１
を参照しながら説明する。図１
において、１は端子２からの輝度（Ｙ）信号にシャープネスを加えるシャープネス回路、３は端子４からのクロマ信号Ｃを増幅するＢＰＡ（バンドパスアンプ）、５はＢＰＡ３からのクロマ信号Ｃを復調して、Ｒ−Ｙ色差信号、Ｇ−Ｙ色差信号、Ｂ−Ｙ色差信号を発生する復調回路である。
【００１６】
６は、復調回路５で復調されたＲ−Ｙ色差信号を制御信号に応じて増幅し画面上での色の濃さを調整するアンプ、７はアンプ６からのＲ−Ｙ色差信号とシャープネス回路１からの輝度（Ｙ）信号とを加算しＲ原色信号を端子８に発生するマトリクス回路である。
【００１７】
また９は、復調回路５で復調されたＧ−Ｙ色差信号を制御信号に応じて増幅し画面上での色の濃さを調整するアンプ、１０はアンプ９からのＧ−Ｙ色差信号とシャープネス回路１からの輝度（Ｙ）信号とを加算しＧ原色信号を端子１１に発生するマトリクス回路である。
【００１８】
また１２は、復調回路５で復調されたＢ−Ｙ色差信号を制御信号に応じて増幅し画面上での色の濃さを調整するアンプ、１３はアンプ１２からのＧ−Ｙ色差信号とシャープネス回路１からの輝度（Ｙ）信号とを加算しＢ原色信号を端子１４に発生するマトリクス回路である。
【００１９】
１８乃至２０は増幅器、２１は増幅器１８乃至２０により駆動され画像を表示するブラウン管である。
【００２０】
また、２２は半導体集積回路装置の製造時に半導体集積回路装置のピン（端子９、端子１３、端子１７）に表れる信号のレベルや位相などを測定し、半導体集積回路装置が所望の特性で作られたか否かを検査するＩＣテスターである。
【００２１】
また２３は、補正値の計算、選局、キャラクター表示などを行いＴＶ用の信号処理ＩＣを制御するマイクロコンピュータ、２４はマイクロコンピュータ２３からのデータを記憶する不揮発性のメモリ（ＥＥＰＲＯＭなど）である。
【００２２】
また、２５乃至２７はマイクロコンピュータ２３からのデジタル信号をアナログ信号に変換して、上記のアンプ７、９、１２の利得を調整するＤ/Ａ変換器である。
【００２３】
次に、上述した構成の回路の動作について説明する。端子２からの輝度（Ｙ）信号は、シャープネス回路１でシャープネスが加えられ、マトリクス回路７に印加される。
【００２４】
一方、端子５からのクロマ信号Ｃは、ＢＰＡ３で増幅されてから復調回路５で復調される。復調されたＲ−Ｙ色差信号の振幅がアンプ６で調整され、赤色の濃さが変る。Ｒ−Ｙ色差信号は、シャープネス回路１からの輝度（Ｙ）信号とマトリクス回路７で加算され、赤色のＲ原色信号が端子８に発生する。
【００２５】
また、復調回路５で復調されたＧ−Ｙ色差信号の振幅がアンプ９で調整され、緑の濃さが変る。Ｇ−Ｙ色差信号は、シャープネス回路１からの輝度（Ｙ）信号とマトリクス回路１０で加算され、緑色のＧ原色信号が端子１１に発生する。
【００２６】
また、復調回路５で復調されたＢ−Ｙ色差信号の振幅がアンプ１２で調整され、青の濃さが変る。Ｂ−Ｙ色差信号は、シャープネス回路１からの輝度（Ｙ）信号とマトリクス回路１３で加算され、青色のＢ原色信号が端子１４に発生する。
【００２７】
従って、ＲＧＢの各原色信号が端子８、端子１１及び端子１４に発生する。この端子８、端子１１及び端子１４までの信号処理がいわゆる映像信号用の信号処理ＩＣ内部で行われる。この端子８、端子１１及び端子１４に発生するＲＧＢの各原色信号のレベル、位相、周波数などが半導体集積回路装置の製造時のばらつきにより変動してしまう。
【００２８】
そこで、本発明ではこの変動に対して補正をかけ、その補正値をメモリ２４に記憶させる。そして、補正値を記憶したメモリ２４と一緒に信号処理ＩＣを出荷することで、１つ１つの信号処理ＩＣが結果的に製造時のばらつきをもつことがない。これは、信号処理ＩＣ、マイクロコンピュータ２３及びメモリ２４を各々半導体集積回路で構成（３つの別チップ）して、１つのパッケージに格納する場合に容易に実行できる。
【００２９】
また、信号処理ＩＣ、マイクロコンピュータ２３及びメモリ２４をひとつの半導体集積回路で構成（１チップ）して１つのパッケージに格納しても同様である。更に、信号処理ＩＣ、マイクロコンピュータ２３及びメモリ２４を各々半導体集積回路で構成し３つのパッケージで１つの基板に搭載される場合でも、その基板を作る者がばらつきの補正を行えば本発明の効果がある。
【００３０】
端子８、端子１１及び端子１４以降はＴＶ受像機内部のディスクリート素子などで構成される。増幅器１８乃至２０は、ＲＧＢの原色信号を増幅してブラウン管２１に画像を表示する。半導体集積回路装置の製造者は、半導体集積回路装置の製造ラインにおいて、端子８、端子１１及び端子１４に発生するＲＧＢの各原色信号のレベル、位相、周波数などをＩＣテスター２２により読み取り、期待値に対するばらつき値を自ら容易に知ることができる。
【００３１】
なお、このＩＣテスター２２は、半導体集積回路装置の製造ラインにおいて使用されるものであり、半導体集積回路装置の一部ではない。
【００３２】
ＩＣテスター２２により読み取られたデータは、マイクロコンピュータ２３に印加される。マイクロコンピュータ２３は、補正信号（この場合はアンプ７の利得調整信号）を計算して求め、補正用のデジタル信号をＤ/Ａ変換器２５乃至２７に印加する。Ｄ/Ａ変換器２５にてアナログ信号に変換された補正信号はアンプ７の利得を調整する。すると、マトリクス回路８に加わるＲ−Ｙ色差信号のレベルが変り、端子９に発生するＲ原色信号の振幅すなわち色の濃さが変る。
【００３３】
このＲ原色信号の振幅が所望の値（半導体集積回路装置に製造ばらつきがない時の期待値）になるまでＩＣテスター２２、マイクロコンピュータ２３及びＤ/Ａ変換器２５の調整ループが働く。そして、最終的な補正値がマイクロコンピュータ２３で求められメモリ２４に記憶される。メモリ２４は不揮発性のものを使用すれば図１
の半導体集積回路装置を出荷してＴＶ受像機に実装する場合でも補正値が残る。
【００３４】
このため、半導体集積回路装置の製造ばらつきが原因で信号処理ＩＣに特性変動が生じていてもＴＶ受像機を組み立てる製造者は、前記ばらつきを全く考慮する必要がなくなる。
【００３５】
前述の例ではＲ−Ｙ色差信号について説明したが、全く同じ動作をＧ−Ｙ色差信号及びＢ−Ｙ色差信号についても行い補正用のデジタル信号をＤ/Ａ変換器２６及び２７からＧ−Ｙ信号処理回路１０及びＢ−Ｙ信号処理回路１４に印加する。
【００３６】
ＴＶ画面の色の濃さは、ＴＶ受像機を組み立てる製造者の好みによってさまざまに変る。その場合の調整は、ブラウン管２１に表示される色を見てＴＶ受像機の製造者が補正信号をマイクロコンピュータ２３に印加すれば、後は自動的に前述の方法で実施される。
【００３７】
図２
は、半導体集積回路装置の製造ばらつきが原因の特性変動の例を示す。今、製造ばらつきが全くない時の原色信号の大きさが図２
（ａ）のようにセンター値ａ０、最小値ａ１、最大値ａ２であるとする。この大きさが半導体集積回路装置の製造ばらつきにより図２
（ｂ）や図２
（ｃ）のように変ってしまう。これを図２
（ａ）のように補正をかける作業を図１
の装置で行う。
【００３８】
上述の回路例では色の濃さを例として説明したが他にもさまざまな例がある。例えば、映像信号を検波した検波出力信号の多くは振幅が２Ｖで発生させる必要があるが実際にはその値が半導体集積回路装置によって変動してしまう。この補正も本発明のやり方で行える。また、色合い（ＴＩＮＴ）にも適用できる。
【００３９】
メモリ２４は、元々マイクロコンピュータ２３のプリセットデータ用やチャンネルのプリセットデータ用にＴＶ受像機に必要なものであるので、既存のメモリで補正データを記憶できる。なお、マイクロコンピュータ２３もＴＶ受像機に元々、必要なものである。
【図面の簡単な説明】
【００４０】
【図１】本発明の実施形態に係る半導体集積回路装置のブロック図である。
【図２】図１の半導体集積回路装置の製造ばらつきが原因の特性図である。
【符号の説明】
【００４１】
１    シャープネス回路
２    端子
３    ＢＰＡ
４    端子
５    復調回路
６    アンプ
７    マトリクス回路
８    端子
９    アンプ
１０  マトリクス回路
１１  端子
１２  アンプ
１３  マトリクス回路
１４  端子
１８  増幅器
１９  増幅器
２０  増幅器
２１  ブラウン管
２２  ＩＣテスター
２３  マイクロコンピュータ
２４  メモリ
２５  Ｄ/Ａ変換器
【図１】
2008187726.tif 000003
【図２】
2008187726.tif 000004